(57)【特許請求の範囲】
【請求項１】
一対の樹脂製シートを重合して形成される合成樹脂製包装袋の開口部内面相互に接着される一対の接着帯体と、各接着帯体の対向する面に夫々突設された嵌合部とを備え、該嵌合部相互を嵌合する合成樹脂製のチャックであって、
一方の接着帯体の樹脂製シートに接着する接着面を嵌合部の位置より下側に配置すると共に、該接着帯体の上端縁に沿って嵌合部を配置した下面接着嵌合体を設け、各嵌合部が嵌合された状態で包装袋の開口部を開いたときに、下面接着嵌合体を接着した樹脂製シートから下面接着嵌合体の嵌合部に開封力が及ばないように構成し、
前記下面接着帯体の長手方向の一部に当該下面接着帯体と一体化されて前記合成樹脂製包装袋の開口部側に向かって延長されると共に、上端部は前記合成樹脂製包装袋の開口部を構成する一対の前記樹脂製シートそれぞれの開口側端部を超えない高さの解除片を設け、
前記解除片と他方の接着帯体側の樹脂製シートとを開くと嵌合部が開封するように構成したことを特徴とするチャイルドレジスタンス機能付チャック。
【請求項２】
前記解除片は、前記下面接着嵌合体の長手両端部のいずれか一方又は両方に設けたことを特徴とする請求項１記載のチャイルドレジスタンス機能付チャック。
【請求項３】
前記解除片の上端部の高さは、前記下面接着嵌合体に対向する他方の接着帯体の上端部の高さとほぼ同じであって、当該他方の接着帯体の上端部は、前記解除片の上端部と共に、前記合成樹脂製包装袋の開口部を構成する一対の前記樹脂製シートそれぞれの開口側端部の高さを超えない高さであることを特徴とする請求項１または請求項２記載のチャイルドレジスタンス機能付チャック。
【請求項４】
前記下面接着嵌合体に対向する接着帯体において、該接着帯体の樹脂製シートに接着する接着面を嵌合部の位置より上側に配置した上面接着嵌合体を設け、前記包装袋の収納部側から開口部に拡開負荷が加わったときに、前記上面接着嵌合体を接着した樹脂製シートから前記上面接着嵌合体の前記嵌合部に開封力が及ばないように構成したことを特徴とする請求項１〜請求項３のいずれか一の請求項に記載のチャイルドレジスタンス機能付チャック。
【請求項５】
前記嵌合部は適数条の筋状又は面状に嵌合する雄型嵌合部と雌型嵌合部とで構成され、前記下面接着嵌合体の前記解除片側から雄型嵌合部と雌型嵌合部との間に指を挿入することで嵌合状態の嵌合部を開封するように構成したことを特徴とする請求項１〜請求項３のいずれか一の請求項に記載のチャイルドレジスタンス機能付チャック。
【請求項６】
開口部で重合する一対の樹脂製シートと、該樹脂製シートの内面相互に接着される一対の接着帯体及び、各接着帯体の対向する面に夫々突設された嵌合部を嵌合するチャックとを備えた合成樹脂製包装袋であって、
一方の接着帯体の樹脂製シートに接着する接着面を嵌合部の位置より下側に配置すると共に、該接着帯体の上端縁に沿って嵌合部を配置した下面接着嵌合体を設けると共に、他方の接着帯体の樹脂製シートに接着する接着面を嵌合部の位置より上側に配置した上面接着嵌合体を設け、
前記下面接着帯体の長手方向の一部に当該下面接着帯体と一体化されて前記合成樹脂製包装袋の開口部側に向かって延長されると共に、上端部は前記合成樹脂製包装袋の開口部を構成する一対の前記樹脂製シートそれぞれの開口側端部を超えない高さの解除片を設け、
前記下面接着嵌合体の解除片と上面接着嵌合体側の樹脂製シートとを開くと嵌合部が開封するように構成したことを特徴とするチャック付包装袋。
【発明の詳細な説明】
【技術分野】
【０００１】
本発明は、子供のいたずら等では開封が困難になり、所定の手順により容易に開封できるチャイルドレジスタンス機能付チャック及びチャック付包装袋に関するものである。
【背景技術】
【０００２】
チャイルドレジスタンス（child-resistant）機能とは、子供が簡単に操作できないようにする機能・機構のことで、例えば、ライターのいたずら防止や、子供が薬品容器などを簡単に開封できないようにする機能である。
【０００３】
すなわち、包装袋によっては、子供等が触れてはいけない収納物が収納されることもある。この場合、密封シールを開封した後でも子供等がチャックを開封できないようにするには、チャックの嵌合力を高めたり、開口部にシール等を接着したりして子供の力では開封が困難になるチャイルドレジスタンス機能が求められている。
【０００４】
一方、チャック付包装袋は密封性が高く開閉が容易なことから各種の包装に用いられている。特許文献１に記載の包装袋は、開口部を溶着した密封シールに沿ってチャックが設けられ、この密封シールを開封した後、チャックで開閉自在にする構造が採用されている。チャックは任意に開閉できる構造であるから、このように、チャックに密封シールを併設することで、店頭販売中にチャックの開閉を防止することができる。
【先行技術文献】
【特許文献】
【０００５】
【特許文献１】特開２００１-３２２６５２号公報
【発明の開示】
【発明が解決しようとする課題】
【０００６】
チャックの嵌合力を高めたり、開口部にシール等を接着したりすることで、子供のいたずら等ではチャックの開封を困難にすることは可能になる。ところが、その反面、嵌合力の高いチャックによって開閉が困難になり、開封するたびにシール等を剥がす手間が増えるなど、使用時に不便が生じることになる。
【０００７】
更に、チャック付包装袋の収納物が重くなると、包装袋の内部で収納物が広がり、意図せずにチャックが開封してしまうことがある。そこで、チャックの嵌合力を強化すると、この場合も嵌合力の高いチャックによって開閉が困難になり使用時に不便が生じることになる。
【０００８】
このように、従来のチャック付の包装袋では、子供等による開封を防止することが困難で、嵌合力を強化すると使用時に不便が生じるなどといった課題があった。
【０００９】
そこで本発明は、上述の課題を解消すべく創出されたもので、子供等のいたずらでは開封が困難になり、所定の手順で容易に開封することができるチャイルドレジスタンス機能付チャック及びチャック付包装袋の提供を目的とするものである。
【課題を解決するための手段】
【００１０】
上記課題を解決するため、本発明に係るチャイルドレジスタンス機能付チャックは、一対の樹脂製シートを重合して形成される合成樹脂製包装袋の開口部内面相互に接着される一対の接着帯体と、各接着帯体の対向する面に夫々突設された嵌合部とを備え、該嵌合部相互を嵌合する合成樹脂製のチャックであって、
一方の接着帯体の樹脂製シートに接着する接着面を嵌合部の位置より下側に配置すると共に、該接着帯体の上端縁に沿って嵌合部を配置した下面接着嵌合体を設け、各嵌合部が嵌合された状態で包装袋の開口部を開いたときに、下面接着嵌合体を接着した樹脂製シートから下面接着嵌合体の嵌合部に開封力が及ばないように構成し、
前記下面接着帯体の長手方向の一部に当該下面接着帯体と一体化されて前記合成樹脂製包装袋の開口部側に向かって延長されると共に、上端部は前記合成樹脂製包装袋の開口部を構成する一対の前記樹脂製シートそれぞれの開口側端部を超えない高さの解除片を設け、
前記解除片と他方の接着帯体側の樹脂製シートとを開くと嵌合部が開封するように構成したことを特徴とする
【００１１】
また、本発明に係るチャイルドレジスタンス機能付チャックでは、前記解除片は、前記下面接着嵌合体の長手両端部のいずれか一方又は両方に設けたことも特徴とする。
【００１２】
また、本発明に係るチャイルドレジスタンス機能付チャックでは、前記解除片の上端部の高さは、前記下面接着嵌合体に対向する他方の接着帯体の上端部の高さとほぼ同じであって、当該他方の接着帯体の上端部は、前記解除片の上端部と共に、前記合成樹脂製包装袋の開口部を構成する一対の前記樹脂製シートそれぞれの開口側端部の高さを超えない高さであることも特徴とする。
また、本発明に係るチャイルドレジスタンス機能付チャックでは、前記下面接着嵌合体に対向する接着帯体において、該接着帯体の樹脂製シートに接着する接着面を嵌合部の位置より上側に配置した上面接着嵌合体を設け、前記包装袋の収納部側から開口部に拡開負荷が加わったときに、前記上面接着嵌合体を接着した樹脂製シートから前記上面接着嵌合体の前記嵌合部に開封力が及ばないように構成したことも特徴とする。
また、本発明に係るチャイルドレジスタンス機能付チャックでは、前記嵌合部は適数条の筋状又は面状に嵌合する雄型嵌合部と雌型嵌合部とで構成され、前記下面接着嵌合体の前記解除片側から雄型嵌合部と雌型嵌合部との間に指を挿入することで嵌合状態の嵌合部を開封するように構成したこともを特徴とする。
【００１３】
また、本発明に係るチャック付包装袋は、開口部で重合する一対の樹脂製シートと、該樹脂製シートの内面相互に接着される一対の接着帯体及び、各接着帯体の対向する面に夫々突設された嵌合部を嵌合するチャックとを備えた合成樹脂製包装袋であって、
一方の接着帯体の樹脂製シートに接着する接着面を嵌合部の位置より下側に配置すると共に、該接着帯体の上端縁に沿って嵌合部を配置した下面接着嵌合体を設けると共に、他方の接着帯体の樹脂製シートに接着する接着面を嵌合部の位置より上側に配置した上面接着嵌合体を設け、
前記下面接着帯体の長手方向の一部に当該下面接着帯体と一体化されて前記合成樹脂製包装袋の開口部側に向かって延長されると共に、上端部は前記合成樹脂製包装袋の開口部を構成する一対の前記樹脂製シートそれぞれの開口側端部を超えない高さの解除片を設け、
前記下面接着嵌合体の解除片と上面接着嵌合体側の樹脂製シートとを開くと嵌合部が開封するように構成したことを特徴とする。
【発明の効果】
【００１４】
本発明の請求項１のごとく、包装袋Ｐの開口部Ｐ２を開いても下面接着嵌合体１０側の嵌合部２に開封力が及ばないように構成し、下面接着嵌合体１０の解除片３と該解除片３に対向する樹脂製シートＰ１とを開くと嵌合部２が開封するように構成したことにより、子供のいたずら等では開封が困難になり、所定の手順で容易に開封することができるチャイルドレジスタンス機能付チャックを提供することに成功した。
【００１５】
すなわち、包装袋Ｐの開口部Ｐ２を通常の手順で開いても下面接着嵌合体１０の嵌合部２に開封力が及ばず嵌合状態の嵌合部２が開封しないので、特に嵌合部２の嵌合力を高めなくても、子供のいたずら等による開封を防止することができる。
【００１６】
また、請求項２のように、包装袋Ｐの収納部Ｐ３側から開口部Ｐ２に拡開負荷が加わったときに上面接着嵌合体２０の嵌合部２に開封力が及ばないように構成したことで、たとえ収納物の荷重が重くなり包装袋の内部で収納物が広がっても、嵌合部２の開封を防止することができる。
【００１７】
請求項３のごとく、チャックは適数条又は面状の雄型嵌合部２Ａと雌型嵌合部２Ｂとで構成されることで任意のタイプのチャックを選択することが可能になる。しかも、解除片３側から雄型嵌合部２Ａと雌型嵌合部２Ｂとの間に指を挿入することで、嵌合した嵌合部２を開封するように構成していることから、たとえ嵌合部２の嵌合力を高めても、所定の手順で容易に開封することができる。
【００１８】
請求項４のごとく、包装袋Ｐの開口部Ｐを開いても嵌合部２が開封されないように構成し、解除片３を使用して嵌合部２が開封するように構成したチャック付包装袋によると、いたずら防止用の包装袋Ｐや重い収納物を収納する包装袋Ｐなど、目的に応じた各種の包装袋Ｐを提供することが可能になる。
【００１９】
このように本発明によると、子供等のいたずらでは開封が困難になり、所定の手順で容易に開封することができるといった当初の目的を達成することができる。
【図面の簡単な説明】
【００２０】
【図１】本発明の一実施例を示す正面図である。
【図２】図１に示す矢視II-II線を示す側断面図である。
【図３】開口部を広げた際のロック構造を示す側断面図である。
【図４】図１に示す矢視III-III線にて開口する状態を示す側断面図である。
【図５】収納部が拡開した際のロック構造を示す側断面図である。
【図６】本発明の他の実施例を示す正面図である。
【図７】図５に示す矢視VI-VI線を示す側断面図である。
【図８】開口部を広げた際のロック構造を示す側断面図である。
【図９】図５に示す矢視VII-VII線にて広げた状態を示す側断面図である。
【図１０】収納部が拡開した際のロック構造を示す側断面図である。
【発明を実施するための形態】
【００２１】
本発明チャックは、嵌合部２を開閉自在に嵌合する合成樹脂製のチャックであり、チャックの基本構成は、接着帯体１に嵌合部２を突設したものである。
【００２２】
接着帯体１は、合成樹脂製包装袋Ｐの開口部Ｐ２で重合する一対の樹脂製シートＰ１の内面相互に接着される帯状の部材である（図２、図５参照）。また、嵌合部２は、接着帯体１の長手方向に沿った内側面に、雄型嵌合部２Ａと雌型嵌合部２Ｂとが突設された嵌合部材である（図４、図９参照）。
【００２３】
本発明において、各接着帯体１において、夫々嵌合部２の位置を中心にした上下のいずれかの面を接着面とするもので、樹脂製シートＰ１に接着する各接着帯体１の接着面を変えることで、下面接着嵌合体１０と上面接着嵌合体２０とを構成している（図２、図７参照）。
【００２４】
すなわち、下面接着嵌合体１０は、接着帯体１の樹脂製シートＰ１に接着する接着面を、該接着帯体１の嵌合部２より下側の面（収納部Ｐ３側の面）に配置すると共に、該接着帯体１の上端縁に沿って嵌合部２を配置したものである（図２参照）。この下面接着嵌合体１０によると、接着帯体１の嵌合部２を突設した部分から上側（開口部Ｐ２側）は、樹脂製シートＰ１に接着されていない状態になる。このため、包装袋Ｐの開口部Ｐ２が開いても、下面接着嵌合体１０側の嵌合部２に開封力が及ばないロック構造が形成される（図３、図８参照）。
【００２５】
このロック構造を解除するために、解除片３を設けている（図１、図６参照）。この解除片３は、下面接着嵌合体１０の左右端部のいずれか一方又は両方に、接着帯体１に一体化されて開口部Ｐ２側に延長される舌片状を成す部材である。この解除片３が下面接着嵌合体１０の嵌合部２側面に接着されているので、解除片３と該解除片３に対向する樹脂製シートＰ１を開くと嵌合部２が開封する（図４、図９参照）。
【００２６】
図示の解除片３は、下面接着嵌合体１０の嵌合部２より上方の接着帯体１中央部位を嵌合部２に沿って切断し（図２、図７参照）、接着帯体１の左右を残すことで解除片３を形成している（図１、図４、図６、図９参照）。また、この解除片３は図示例に限られるものではなく、下面接着嵌合体１０側の嵌合部２より上方の接着帯体１を残しておき、接着帯体１の左右端部に別体の解除片３を接着するなど、包装袋Ｐの用途に応じて任意に変更することができる。
【００２７】
本発明チャックにおいて、解除片３側から嵌合部２の雄型嵌合部２Ａと雌型嵌合部２Ｂとの間に指を挿入することで嵌合した嵌合部２を容易に開封することができる（図４、図９参照）。この結果、嵌合部２の雄型嵌合部２Ａと雌型嵌合部２Ｂとの嵌合力を十分に高めても、開封時に大きな力を要さずに済む。
【００２８】
上面接着嵌合体２０は、接着帯体１の樹脂製シートＰ１に接着する接着面を、該接着帯体１の嵌合部２より上側（開口部Ｐ２側）の面とするものである（図２、図７参照）。この上面接着嵌合体２０では、接着帯体１の嵌合部２を突設した部分から下側（収納部Ｐ３側）の面は、樹脂製シートＰ１に接着されていない状態になる。したがって、この接着帯体１の接着されていない部分を切除することも可能である。
【００２９】
このように、包装袋Ｐの収納部Ｐ３に拡開負荷が加わった場合に、上面接着嵌合体２０側の嵌合部２に開封力が及ばないので、例えば包装袋Ｐの収納部Ｐ３が大きく広がっても嵌合部２は開封されない（図５、図１０参照）。
【００３０】
図１〜図５に示す嵌合部２は、１条の雄型嵌合部２Ａと雌型嵌合部２Ｂとで構成されている。また、図６〜図１０に示す嵌合部２は、複数条の雄型嵌合部２Ａと雌型嵌合部２Ｂとで構成されている。また、図示しないが、嵌合部２を面状の雄型嵌合部２Ａと雌型嵌合部２Ｂとで構成することも可能である。このように嵌合部２の構造は、任意に選択することが可能である。また、嵌合部２の嵌合面の面積が広くなるほど、嵌合部２の嵌合力を高めることができる。しかも、このように高い嵌合力を有する嵌合部２でも、解除片３から簡単に開封することが可能である。
【００３１】
本発明包装袋は、前述した本発明チャックを備えた合成樹脂製の包装袋Ｐである（図１、図６参照）。すなわち、開口部Ｐ２で重合する一対の樹脂製シートＰ１と、該樹脂製シートＰ１の内面相互に接着される一対の接着帯体１及び、該接着帯体１の内側面に突設された嵌合部２を開閉自在に嵌合するチャックとを備えたものである（図２、図７参照）。
【００３２】
そして、このチャックは、前述の下面接着嵌合体１０と上面接着嵌合体２０とで構成するもので（図２、図７参照）、下面接着嵌合体１０の左右端部のいずれか一方又は両方に、嵌合部２側面の接着帯体１に接着されて開口部Ｐ２側に延長される解除片３を設けたものである（図１、図６参照）。
【００３３】
図示の下面接着嵌合体１０は、嵌合部２より上側の接着帯体１で、樹脂製シートＰ１に接着しない部分を切断している（図２、図７参照）。これは、包装袋Ｐの開口部Ｐ２より収納物を収納する際に、接着されていない接着帯体１が妨げにならないようにするものである。また、収納物の種類により接着帯体１の接着しない部分を残すことも可能である。
【００３４】
このように、本発明包装袋は、包装袋Ｐの開口部Ｐ２を開いても嵌合した嵌合部２が開封されないように構成し、該解除片３と上面接着嵌合体２０側の樹脂製シートＰ１とを開くと嵌合部２が開封するように構成した全ての包装袋を対象とするものである。したがって、本発明包装袋は、図示のような平袋を始め、各種ガゼット袋など、本発明チャックを備えた合成樹脂製のあらゆる包装袋に変更することができる。
【００３５】
尚、本発明において包装袋Ｐや嵌合部２の形状、構造、成形方法などは任意に変更できるもので、本発明の要旨を変更しない範囲において自由に選択することができる。
【符号の説明】
【００３６】
Ｐ  包装袋
Ｐ１  樹脂製シート
Ｐ２  開口部
Ｐ３  収納部
１  接着帯体
２  嵌合部
２Ａ  雄型嵌合部
２Ｂ  雌型嵌合部
３  解除片
１０  下面接着体
２０  上面接着嵌合部
【図１】
0006412771.tif 000002
【図２】
0006412771.tif 000003
【図３】
0006412771.tif 000004
【図４】
0006412771.tif 000005
【図５】
0006412771.tif 000006
【図６】
0006412771.tif 000007
【図７】
0006412771.tif 000008
【図８】
0006412771.tif 000009
【図９】
0006412771.tif 000010
【図１０】
0006412771.tif 000011